【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
身体部位の組織の構造及び内容に経時変化を生じさせるシステムであって、
電磁波信号を送受信するように構成されたアンテナ及び回路と、
前記信号を1つ以上のデータ・セットに変換するように構成された回路と、
測定された前記身体部位の組織又は水和状態の変化を決定するために、少なくとも２つのデータ・セットに対して数学的計算を行なうコンパレーター・サブシステムと、
前記身体部位の組織に経時変化を生じさせる作用メカニズムと、を備え、
前記作用メカニズムが、前記コンパレーター・サブシステムと通信する
ことを特徴とする身体部位の組織の構造及び内容の経時変化の達成システム。
【請求項２】
電磁波を送受信するように構成された前記アンテナ及び回路が、身体に完全に埋め込まれる請求項１に記載のシステム。
【請求項３】
前記作用メカニズムが、所定の治療プロトコルで構成される請求項１に記載のシステム。
【請求項４】
前記作用メカニズムが、前記コンパレーター・サブシステムからの通信に応じてアクションを開始させる請求項１に記載でのシステム。
【請求項５】
１つ以上のデータ・セットに使用することができる１つ以上の周波数のバイオ電気インピーダンス信号を送受信するように構成された電極及び回路をさらに備える請求項１に記載のシステム。
【請求項６】
１つ以上の補助手段をさらに備える請求項１に記載のシステム。
【請求項７】
光学的、電気的、及び音響的なエネルギーのうち、１種類以上のエネルギーを送受信するように構成された回路及びセンシング手段をさらに備える請求項１に記載のシステム。
【請求項８】
前記電磁波信号が、超広帯域のミクロインパルスレーダ信号である請求項１に記載のシステム。
【請求項９】
前記電磁波信号が、２ＧＨｚ〜４ＧＨｚの範囲内の信号を含む請求項１に記載のシステム。
【請求項１０】
前記アンテナ及び回路が、接着手段によって身体サイトに付着されるように構成されている請求項１に記載のシステム。
【請求項１１】
身体部位の組織の構造及び内容に経時変化を生じさせるシステムであって、
電気信号、電磁波信号、音響信号、及び光学信号のうち、１つ以上の信号を送受信するように構成された回路及びコンポーネントと、
前記信号を1つ以上のデータ・セットに変換するように構成された回路と、
測定された前記身体部位の組織の構造及び内容の変化を決定するために、少なくとも２つのデータ・セットに対して数学的計算を行なうコンパレーター・サブシステムと、
前記身体部位の組織に経時変化を生じさせる作用メカニズムと、を備え、
前記作用メカニズムが、前記コンパレーター・サブシステムと通信する
ことを特徴とする身体部位の組織の構造及び内容の経時変化の達成システム。
【請求項１２】
身体部位の組織構造及び内容に経時変化を生じさせるシステムであって、
印加された音波信号の送受信用のアンテナ及び回路と、
前記信号を１つ以上のデータ・セットに変換する回路と、
測定された前記身体部位の組織又は水和状態の変化を決定するために少なくとも２つのデータ・セットに対して数学計算を行なうコンパレーター・サブシステムと、
前記身体部位の組織に経時変化を生じさせる作用メカニズムと、を備え、
前記作用メカニズムが、前記コンパレーター・サブシステムと通信する
ことを特徴とする身体部位内の組織構造及び内容の経時変化の達成システム。
【請求項１３】
印加された前記音波信号の送受信用の前記アンテナ及び回路が、身体に完全に埋め込まれる請求項１２に記載のシステム。
【請求項１４】
前記作用メカニズムが、所定の治療プロトコルで構成される請求項１２に記載のシステム。
【請求項１５】
前記作用メカニズムが、前記コンパレーター・サブシステムからの通信に応じてアクションを開始させる請求項１２に記載のシステム。
【請求項１６】
身体部位中の組織構造及び内容に経時変化を生じさせるシステムであって、
電気信号を送受信するように構成された電極及び回路と、
前記信号を、前記身体部位のバイオ電気インピーダンスの大きさを示す１つ以上のデータ・セットへ変換する回路と、
測定された前記身体部位の組織又は水和状態の変化を決定するために、少なくとも２つのデータ・セットに対して数学計算を行なうコンパレーター・サブシステムと、
前記身体部位の組織に経時変化を生じさせる作用メカニズムと、を備え、
前記作用メカニズムが、前記コンパレーター・サブシステムと通信する
ことを特徴とする身体部位中の組織構造及び内容の経時変化の達成システム。
【請求項１７】
前記電気信号を送受信するように構成された前記電極及び回路が、身体に完全に埋め込まれる請求項１６に記載のシステム。
【請求項１８】
前記コンパレーターが、前記電極及び回路と無線通信する別個のデータ収集ユニットに配置される請求項１６に記載のシステム。
【手続補正２】
【補正対象書類名】明細書
【補正対象項目名】０００６
【補正方法】変更
【補正の内容】
【０００６】
本発明の別の態様では、測定データ・セットの構築用の電磁気的、光学的、音響的な波動あるいは別のエネルギー形式、即ち信号の送受信のための回路、電源及びトランシーバーが、ある構造に全部あるいは一部分含まれてもよく、例えばパッチ又はユニットによって、身体に完全にあるいは部分的に付着され、又は埋め込まれ得る。本発明の代替の実施形態では、信号を測定するための回路及びトランシーバーは、身体に付着されない、又は、身体に埋め込まれていない構造に含まれる。非付着または非埋め込みの構造は、測定活動を可能にするために手によって保持されているか、或いはそうでなければ支持物によって支持されている場合がある。そのような支持は、測定された被検者の生活空間の中にある固定構造、例えばベッド、クローゼット、バスルームなどの中への１つ以上の装置の収容を含み、これにより、ライフスタイルまたは活動を乱さずに控え目な測定が周期的に得られることを可能にする。本発明の更なる別の実施形態では、測定装置の一部は皮膚の下に配置されることができる一方で、装置の別の側面は、皮膚の外部に位置し、及び／又は皮膚を通って突出し、例えば、本質的に経皮的である。
【手続補正３】
【補正対象書類名】明細書
【補正対象項目名】００２７
【補正方法】変更
【補正の内容】
【００２７】
本発明の一実施形態では、測定装置(発信機、回路類とセンサー)は、接着手段によって身体サイトに付着され、あるいは、完全に身体内に埋め込まれることができる。代替の実施形態では、装置またはセンサーの一部分あるいは全体が、身体の外部上に配置されることができる。あるいは、それらの装置またはセンサーは、ストラップ、衣料品によって、直接に皮膚または皮膚の下に固定することによって、または手やその他の支持物によって皮膚に対して保持されることによって身体に付着されることができる。さらに別の実施形態では、測定装置は皮膚の表面と直接にコンタクトしない。本発明の範囲は、いずれの身体サイトや、身体への直接または非直接のコンタクトといった身体への付着手段によって限定されない。本発明のまた別の実施形態では、測定装置は第１の部分が身体に埋め込まれ、第２の部分が身体の外部に置かれることができる。そのような実施形態では、第２の部分は、埋め込まれた部分への電源として、例えば電磁相互作用による埋め込まれた部分の電流の誘導のために役立ってもよい。さらに別の実施形態では、埋め込まれた部分は、外部の第２の部分によって受信される信号を送信すること(あるいは逆に)により、身体部位の測定を可能にする。あるいは、第２の部分は、埋め込まれた部分へのデータ検索及び／又は命令の引渡しを目的とする通信を継続的にあるいは間欠性に支援する役目をすることができる。